(57)【特許請求の範囲】
【請求項１】
光源を有し、左目用画像及び右目用画像を含む立体画像を表示する画像表示部と、
前記立体画像の表示タイミングと、左目用画像と右目用画像とを透過させるシャッター部を備えるシャッター装置との同期を調整するための調整情報を取得する調整情報取得部と、
前記表示タイミングと、前記調整情報取得部によって取得された前記調整情報とに従って、前記シャッター装置に送信する同期信号を生成する同期信号生成部と、
前記表示タイミングと、前記調整情報取得部によって取得された前記調整情報とに従って、前記画像表示部の前記光源を制御する光源制御部と
を備え、
前記調整情報取得部は、複数の前記シャッター装置の夫々の前記調整情報を取得し、
前記同期信号生成部は、前記表示タイミングと、前記調整情報取得部によって取得された夫々の前記調整情報とに従って、夫々の前記シャッター装置に送信する夫々の同期信号を生成し、
前記光源制御部は、前記表示タイミングと、夫々の前記調整情報のうち左目用画像及び右目用画像の透過時間を最大に調整する前記調整情報とに従って、前記光源を制御することを特徴とする画像表示装置。
【請求項２】
前記同期信号生成部は、
前記表示タイミングに基づく同期信号を前記調整情報に基づいて補正し、前記シャッター装置に送信する同期信号を生成する
ことを特徴とする請求項１に記載の画像表示装置。
【請求項３】
前記同期信号生成部は、
前記表示タイミングに基づく同期信号による左目用画像及び右目用画像の透過時間の中心時刻を変化させないように、前記シャッター装置に送信する同期信号を生成する
ことを特徴とする請求項２に記載の画像表示装置。
【請求項４】
前記調整情報取得部は、
前記調整情報を受信する調整情報受信部である
ことを特徴とする請求項１乃至請求項３の何れか１項に記載の画像表示装置。
【請求項５】
前記調整情報受信部は、
前記シャッター装置から前記調整情報を受信する
ことを特徴とする請求項４に記載の画像表示装置。
【請求項６】
光源を有し、左目用画像及び右目用画像を含む立体画像を画像表示部に表示する画像表示装置における画像表示方法であって、
前記画像表示装置の調整情報取得部が、前記立体画像の表示タイミングと、左目用画像と右目用画像とを透過させるシャッター部を備えるシャッター装置との同期を調整するための調整情報を取得し、
前記画像表示装置の同期信号生成部が、前記表示タイミングと前記調整情報取得部によって取得された前記調整情報とに従って、前記シャッター装置に送信する同期信号を生成し、
前記画像表示装置の光源制御部が、前記表示タイミングと前記調整情報取得部によって取得された前記調整情報とに従って、前記画像表示部の前記光源を制御し、
前記調整情報取得部は、複数の前記シャッター装置の夫々の前記調整情報を取得し、
前記同期信号生成部は、前記表示タイミングと、前記調整情報取得部によって取得された夫々の前記調整情報とに従って、夫々の前記シャッター装置に送信する夫々の同期信号を生成し、
前記光源制御部は、前記表示タイミングと、夫々の前記調整情報のうち左目用画像及び右目用画像の透過時間を最大に調整する前記調整情報とに従って、前記光源を制御することを特徴とする画像表示方法。
【発明の詳細な説明】
【技術分野】
【０００１】
本発明は、画像表示装置、制御装置、及び、画像表示方法に関するものである。
【背景技術】
【０００２】
従来、左目用画像及び右目用画像から構成される３Ｄ画像を出力する画像出力装置と、当該画像出力装置から出力された３Ｄ画像を視るために用いられる３Ｄメガネとを備えるシステムが知られている（例えば、特許文献１参照）。上記システムにおいて、３Ｄメガネは、左目用画像と右目用画像とを交互に透過させる（左目と右目に交互に光を透過、遮断させる）ように駆動する左右のシャッターを備え、外部から受信した同期信号に基づいてシャッター駆動信号を生成し、シャッター駆動信号による駆動タイミングでシャッターを駆動させている。
【先行技術文献】
【特許文献】
【０００３】
【特許文献１】特開２０１０−６１１０５号公報
【発明の概要】
【発明が解決しようとする課題】
【０００４】
しかしながら、３Ｄメガネが受信する同期信号は、３Ｄ画像の表示タイミングに基づき３Ｄメガネのシャッターが所定の駆動タイミングで駆動するように予め規定されたものである。つまり、３Ｄメガネのシャッターの駆動タイミングは一定である。従って、以下のような問題が生じる。
１．既定の駆動タイミングによるシャッター開口時間が、あるユーザーにとって長い場合、そのユーザーは、映像が暗いと感じ難いが、左目用画像と右目用画像とが重なって見え易い。即ち、不快感を生むクロストークを感じ易い。
２．既定の駆動タイミングによるシャッター開口時間が、あるユーザーにとって短い場合、そのユーザーは、不快感を生むクロストークを感じ難いが、映像が暗いと感じ易い。
クロストークの感度は個人差がある。そのため、クロストークを感じ難いユーザーであれば、映像を明るくするためにシャッター開口時間を長くしてもクロストークを感じない場合がある。また例えば、クロストークを感じ易いユーザーであれば、映像を暗くしてでも、シャッター開口時間を短くしてクロストークを低減させたい場合がある。ところが、上述の如く、３Ｄメガネのシャッターの駆動タイミングは一定であるため、映像の明るさとクロストークのバランスを調整できないという問題がある。
【０００５】
本発明はこのような事情に鑑みてなされたものであって、映像の明るさとクロストークのバランスを調整できる技術を提供する。また、上記バランスの調整に応じて３Ｄ画像を表示する光源を制御する技術を提供する。
【課題を解決するための手段】
【０００６】
上記問題を解決するために、本発明の一態様である画像表示装置は、光源を有し、左目用画像及び右目用画像を含む立体画像を表示する画像表示部と、前記立体画像の表示タイミングと、左目用画像と右目用画像とを透過させるシャッター部を備えるシャッター装置との同期を調整するための調整情報を取得する調整情報取得部と、前記表示タイミングと、前記調整情報取得部によって取得された前記調整情報とに従って、前記シャッター装置に送信する同期信号を生成する同期信号生成部と、前記表示タイミングと、前記調整情報取得部によって取得された前記調整情報とに従って、前記画像表示部の前記光源を制御する光源制御部とを備えることを特徴とする。
上記構成によれば、上記画像表示装置は調整情報に応じた同期信号を生成するため、シャッター装置のユーザーは、調整情報を入力し、自身の感覚に応じたクロストークと明るさのバランスを調整することできる。また、上記画像表示装置は調整情報に応じて光源を制御するため、必要な光を確保しつつ節電することができる。
【０００７】
上記画像表示装置において、前記同期信号生成部は、前記表示タイミングに基づく同期信号を前記調整情報に基づいて補正し、前記シャッター装置に送信する同期信号を生成するようにしてもよい。
上記構成によれば、既定の同期信号を補正して所望の同期信号を得ることができる。
【０００８】
上記画像表示装置において、前記同期信号生成部は、前記表示タイミングに基づく同期信号による左目用画像及び右目用画像の透過時間の中心時刻を変化させないように、前記シャッター装置に送信する同期信号を生成するようにしてもよい。
上記構成によれば、左目用画像と右目用画像との切り替わりが見えないようにしつつ、シャッター開口時間を最大限に長くする調整することができる。
【０００９】
上記画像表示装置において、前記調整情報取得部は、前記調整情報を受信する調整情報受信部であってもよい。
上記構成によれば、当該画像表示装置以外から調整情報を入力することができる。
【００１０】
上記画像表示装置において、前記調整情報受信部は、前記シャッター装置から前記調整情報を受信するようにしてもよい。
上記構成によれば、シャッター装置から調整情報を入力することができる。
【００１１】
上記画像表示装置において、前記調整情報取得部は、複数の前記シャッター装置の夫々の前記調整情報を取得し、前記同期信号生成部は、前記表示タイミングと、前記調整情報取得部によって取得された夫々の前記調整情報とに従って、夫々の前記シャッター装置に送信する夫々の同期信号を生成し、前記光源制御部は、前記表示タイミングと、夫々の前記調整情報のうち左目用画像及び右目用画像の透過時間を最大に調整する前記調整情報とに従って、前記光源を制御するようにしてもよい。
上記構成によれば、何れのユーザーの視聴に対しても、必要な光を確保するように光源を制御することができる。
【００１２】
上記問題を解決するために、本発明の他の態様である制御装置は、光源を有し、左目用画像及び右目用画像を含む立体画像を表示する画像表示部を備える画像表示装置による前記立体画像の表示タイミングと、左目用画像と右目用画像とを透過させるシャッター部を備えるシャッター装置との同期を調整するための調整情報を取得する調整情報取得部と、前記表示タイミングと、前記調整情報取得部によって取得された前記調整情報とに従って、前記シャッター装置に送信する同期信号を生成する同期信号生成部と、前記調整情報を前記画像表示装置に送信する調整情報送信部とを備えることを特徴とする。
上記構成によれば、上述の効果を得ることができる。
【００１３】
上記問題を解決するために、本発明の他の態様である画像表示方法は、光源を有し、左目用画像及び右目用画像を含む立体画像を画像表示部に表示する画像表示装置における画像表示方法であって、前記画像表示装置の調整情報取得部が、前記立体画像の表示タイミングと、左目用画像と右目用画像とを透過させるシャッター部を備えるシャッター装置との同期を調整するための調整情報を取得し、前記画像表示装置の同期信号生成部が、前記表示タイミングと前記調整情報取得部によって取得された前記調整情報とに従って、前記シャッター装置に送信する同期信号を生成し、前記画像表示装置の光源制御部が、前記表示タイミングと前記調整情報取得部によって取得された前記調整情報とに従って、前記画像表示部の前記光源を制御することを特徴とする。
上記構成によれば、上述の効果を得ることができる。
【図面の簡単な説明】
【００１４】
【図１】本発明の第１の実施形態による、画像表示装置を含む画像表示システムの機能ブロック図の一例である。
【図２】本発明の第１の実施形態による調整情報に関する画面例である。
【図３】本発明の第１の実施形態による調整情報の記憶例である。
【図４】本発明の第１の実施形態における、調整情報と、生成される同期信号と、シャッター装置の駆動タイミングとの関係を説明する説明図である。
【図５】本発明の第１の実施形態における、調整情報と、生成される同期信号と、シャッター装置の駆動タイミングとの関係を説明する説明図である。
【図６】本発明の第１の実施形態における、調整情報と、生成される同期信号と、シャッター装置の駆動タイミングとの関係を説明する説明図である。
【図７】本発明の第１の実施形態による光源の制御例である。
【図８】本発明の第１の実施形態による画像表示装置を含む画像表示システムの動作の一例を示すフローチャートである。
【図９】本発明の第２の実施形態による、画像表示装置を含む画像表示システムの機能ブロック図の一例である。
【図１０】本発明の第２の実施形態による調整情報に関する画面例である。
【図１１】本発明の第３の実施形態による、画像表示装置を含む画像表示システムの機能ブロック図の一例である。
【図１２】本発明の第４の実施形態による、制御装置を含む画像表示システムの機能ブロック図の一例である。
【発明を実施するための形態】
【００１５】
（第１の実施形態）
以下、本発明の第１の実施形態について図面を参照して詳細に説明する。図１は、本発明の第１の実施形態による、画像表示装置１０を含む画像表示システム１の機能ブロック図の一例である。
【００１６】
画像表示システム１は、図１に示すように、左目用画像及び右目用画像を含む３Ｄ画像（立体画像）を表示する画像表示装置１０と、３Ｄ画像を視るために用いられる３Ｄ画像観賞用メガネ（シャッター装置。以下、「３Ｄメガネ」という）２０と、画像表示装置１０を制御するリモコン３０とを備える。画像表示装置１０は、例えば、３Ｄテレビ、プロジェクターなどが該当する。リモコン３０は、画像表示装置１０の付属品であってもよい。なお、図１において１つの３Ｄメガネ２０を示したが、画像表示システム１は複数の３Ｄメガネ２０を備えていてもよい。
【００１７】
（画像表示装置１０）
画像表示装置１０は、制御部（ＣＰＵ）１００、画像表示部１１０、通信部１２０及び調整情報記憶部１９０を備える。制御部１００は、画像制御部１０２、光源制御部１０４、タイミング制御部１０６及び同期信号生成部１０８を有する。画像表示部１１０は、液晶パネル１１２及び光源１１４を有する。通信部１２０は、同期信号送信部１２２及び調整情報受信部１２４を有する。
【００１８】
画像制御部１０２は、外部又は内部から３Ｄ画像を取得（受信）する。例えば、画像制御部１０２は、外部装置（例えば、パーソナルコンピューター、サーバー）から３Ｄ画像を取得する。また、例えば、画像表示装置１０がアンテナ部（非図示）を備える場合、画像制御部１０２は、アンテナ部を介して、放送局（放送波）から３Ｄ画像を受信する。また、例えば、画像表示装置１０が画像記憶部（非図示）を内蔵する場合、画像制御部１０２は、画像記憶部から３Ｄ画像を取得する。画像制御部１０２は、取得した３Ｄ画像を一時記憶する。
【００１９】
また、画像制御部１０２は、表示タイミング（表示タイミング信号）を取得する。画像制御部１０２は、外部（例えば、パーソナルコンピューター、サーバー、放送局）から３Ｄ画像を取得する態様の場合、タイミング制御部１０６から表示タイミングを取得する。また、画像制御部１０２は、内部（例えば、内蔵する画像記憶部）から３Ｄ画像を取得する態様の場合、内部（例えば、タイミング記憶部（非図示））から表示タイミングを取得してもよい。
【００２０】
画像制御部１０２は、表示タイミングを取得した場合、取得した表示タイミングにて、一時記憶している３Ｄ画像を液晶パネル１１２に出力する。即ち、画像制御部１０２は、一時記憶している３Ｄ画像に対し必要な処理（スケーリング、キーストーン、フレームレート変換等）を実行し、取得した表示タイミングで液晶パネル１１２を駆動して３Ｄ画像を表示する。
【００２１】
また、画像制御部１０２は、タイミング制御部１０６から表示タイミングを取得した場合、タイミング制御部１０６から取得した表示タイミングを光源制御部１０４に出力する。また、画像制御部１０２は、タイミング記憶部から表示タイミングを取得した場合、タイミング記憶部から取得した表示タイミングを光源制御部１０４及びタイミング制御部１０６に出力する。
【００２２】
光源制御部１０４は、画像制御部１０２から表示タイミングを取得する。光源制御部１０４は、画像制御部１０２から表示タイミングを取得した場合、画像制御部１０２から取得した表示タイミングと、調整情報記憶部１９０に記憶されている調整情報（後述）とに従って、光源１１４を制御する。なお、光源制御部１０４の詳細は後述する。
【００２３】
液晶パネル１１２は、画像制御部１０２から取得した３Ｄ画像を表す画像データに基づいて、光源１１４から射出された光を変調する光変調装置である。なお、画像表示装置１０がプロジェクターである場合、液晶パネル１１２によって変調された３Ｄ画像を表す光は、レンズ（非図示）によって、画像表示装置１０の前面に設置されたスクリーン（非図示）に投射される。
【００２４】
タイミング制御部１０６は、外部（例えば、パーソナルコンピューター、サーバー、放送局）、又は、画像制御部１０２から表示タイミングを取得する。タイミング制御部１０６は、外部から表示タイミングを取得した場合には、外部から取得した表示タイミングを、画像制御部１０２及び同期信号生成部１０８に出力する。また、タイミング制御部１０６は、画像制御部１０２から表示タイミングを取得した場合には、画像制御部１０２から取得した表示タイミングを、同期信号生成部１０８に出力する。
【００２５】
同期信号生成部１０８は、タイミング制御部１０６から表示タイミングを取得する。同期信号生成部１０８は、タイミング制御部１０６から表示タイミングを取得した場合、タイミング制御部１０６から取得した表示タイミングと、調整情報記憶部１９０に記憶されている調整情報（後述）とに従って、３Ｄメガネ２０に送信する同期信号を生成する。
【００２６】
以下、同期信号生成部１０８が３Ｄメガネ２０に送信する同期信号のうち、表示タイミングに基づく同期信号を第１の同期信号という。また、同期信号生成部１０８が３Ｄメガネ２０に送信する同期信号のうち、第１の同期信号を調整情報（後述）に基づいて調整（補正）した調整（補正）後の同期信号を第２の同期信号という。なお、同期信号生成部１０８の詳細は後述する。
【００２７】
同期信号生成部１０８は、同期信号（第１の同期信号又は第２の同期信号）を生成した場合、生成した同期信号を同期信号送信部１２２に出力する。なお、同期信号送信部１２２に出力された同期信号は、３Ｄメガネ２０に送信され、シャッター部２４０の駆動タイミングを制御するシャッター駆動信号の生成に用いられる。つまり、同期信号生成部１０８は、同期信号を生成することによって、３Ｄメガネ２０のシャッター部２４０の駆動タイミングを制御する。
【００２８】
同期信号送信部１２２は、同期信号生成部１０８から同期信号を取得する。同期信号送信部１２２は、同期信号生成部１０８から同期信号を取得した場合、同期信号生成部１０８から取得した同期信号を無線通信によって３Ｄメガネ２０に送信する。なお、「無線通信」とは、伝送路として線を使わない通信である。画像表示装置１０と３Ｄメガネ２０間の無線通信として、３Ｄメガネ２０が１つの場合には赤外線通信又はブルートゥースを利用し、３Ｄメガネ２０が複数の場合にはブルートゥースを利用してもよい。
【００２９】
調整情報受信部１２４は、リモコン３０から調整情報を受信する。調整情報受信部１２４は、リモコン３０から調整情報を受信した場合、リモコン３０から受信した調整情報を調整情報記憶部１９０に記憶する。
【００３０】
なお、調整情報とは、３Ｄ画像の表示タイミングと、３Ｄメガネ２０との同期を調整するための情報であって、シャッター部２４０の駆動タイミングを変更するための情報である。より詳細には、調整情報とは、同期信号生成部１０８が、第１の同期信号から第２の同期信号を生成する際に参照する参照情報（映像の明るさとクロストークのバランスを調整するために参照される情報）である。換言すれば、映像の明るさとクロストークのバランスを調整情報によって調整される前の既定（標準）の同期信号が第１の同期信号に相当し、映像の明るさとクロストークのバランスを調整情報によって調整された後の同期信号が第２の同期信号に相当する。なお、調整情報は、メガネ制御タイミング変更情報とも称する。
【００３１】
調整情報記憶部１９０は、調整情報受信部１２４によって受信された調整情報を記憶する。調整情報は、同期信号生成部１０８に加え、光源制御部１０４によっても参照される。
【００３２】
なお、画像表示装置１０は、複数の３Ｄメガネ２０を以下のように制御する。調整情報受信部１２４は、リモコン３０から複数の３Ｄメガネ２０の夫々の調整情報を受信する。調整情報記憶部１９０は、調整情報受信部１２４によって受信された夫々の調整情報を記憶する。同期信号生成部１０８は、表示タイミングと、調整情報記憶部１９０に記憶されている夫々の調整情報とに従って、夫々の３Ｄメガネ２０に送信する夫々の同期信号（第１の同期信号又は第２の同期信号）を生成する。光源制御部１０４は、表示タイミングと、夫々の調整情報のうち左目用画像及び右目用画像の透過時間（シャッター開口時間）を最大に調整する調整情報とに従って、光源を制御する。
【００３３】
（リモコン３０）
リモコン３０は、調整情報送信部３２４及び調整情報受付部３８０を備える。調整情報受付部３８０は、ユーザーから調整情報の入力（設定）を受け付ける。調整情報送信部３２４は、調整情報受付部３８０によって受け付けられた調整情報を無線通信によって画像表示装置１０に送信する。
【００３４】
（３Ｄメガネ２０）
３Ｄメガネ２０は、通信部２２０、シャッター駆動部２３０及びシャッター部２４０を備える。通信部２２０は、同期信号受信部２２２を有する。シャッター駆動部２３０は、信号解析部２３２及び駆動信号生成部２３４を有する。シャッター部２４０は、それぞれ液晶パネルを含む左目シャッター２４０Ｌ、及び右目シャッター２４０Ｒを有する。
【００３５】
同期信号受信部２２２は、無線通信によって、画像表示装置１０から同期信号（第１の同期信号又は第２の同期信号）を受信する。具体的には、リモコン３０（調整情報送信部３２４）によって、当該３Ｄメガネのシャッター部２４０の駆動タイミングを調整する旨の調整情報（例えば、設定値「０」以外）を送信していない場合、若しくは、当該３Ｄメガネ２０のシャッター部２４０の駆動タイミングを調整しない旨の調整情報（例えば、設定値「０」）を送信していた場合には、同期信号受信部２２２は、画像表示装置１０から第１の同期信号を受信する。また、リモコン３０（調整情報送信部３２４）によって、シャッター部２４０の駆動タイミングを調整する旨の調整情報を送信していた場合には、同期信号受信部２２２は、画像表示装置１０から第２の同期信号を受信する。同期信号受信部２２２は、画像表示装置１０から同期信号を受信した場合、画像表示装置１０から受信した同期信号を信号解析部２３２に出力する。
【００３６】
信号解析部２３２は、同期信号受信部２２２から同期信号を取得する。信号解析部２３２は、同期信号受信部２２２から同期信号を取得した場合、同期信号受信部２２２から取得した同期信号を解析する。具体的には、信号解析部２３２は、プロトコル記憶部（非図示）に記憶されているプロトコル情報を用いて同期信号を解析する。信号解析部２３２は、同期信号の解析結果を駆動信号生成部２３４に出力する。
【００３７】
駆動信号生成部２３４は、信号解析部２３２から同期信号の解析結果を取得する。駆動信号生成部２３４は、信号解析部２３２から同期信号の解析結果を取得した場合、信号解析部２３２から取得した同期信号の解析結果に基づいて、シャッター部２４０を駆動させるシャッター駆動信号（左目シャッター２４０Ｌの液晶パネルの透過率、及び、右目シャッター２４０Ｒの液晶パネルの透過率を制御する信号）を生成する。駆動信号生成部２３４は、生成したシャッター駆動信号をシャッター部２４０に出力する。
つまり、シャッター駆動部２３０（信号解析部２３２、駆動信号生成部２３４）は、画像表示装置１０から受信した同期信号に基づいてシャッター駆動信号を生成し、シャッター駆動信号による駆動タイミングでシャッター部２４０を駆動させている。
【００３８】
シャッター部２４０は、駆動信号生成部２３４からシャッター駆動信号を取得する。シャッター部２４０は、駆動信号生成部２３４からシャッター駆動信号を取得した場合、駆動信号生成部２３４から取得したシャッター駆動信号に従って、左目シャッター２４０Ｌ、右目シャッター２４０Ｒを交互に駆動させる。つまり、シャッター部２４０の左目シャッター２４０Ｌは、シャッター駆動信号に従って、画像表示装置１０が表示する３Ｄ画像（例えば、プロジェクターが投射した３Ｄ画像、３Ｄテレビが表示する３Ｄ画像）の左目用画像を透過し、右目用画像を遮断する。一方、右目シャッター２４０Ｒは、画像表示装置１０が表示する３Ｄ画像の右目用画像を透過し、左目用画像を遮断する。これにより、３Ｄメガネ２０を通して３Ｄ画像を視た場合、ユーザーの左目と右目に交互に、左目用画像と右目用画像とが透過され、意図したように３Ｄ画像を見ることができる。
【００３９】
ここで、３Ｄメガネ２０は、画像表示装置１０から第１の同期信号を受信した場合には、映像の明るさとクロストークのバランスに関し、標準的なバランスの３Ｄ画像をユーザーに提供する。一方、３Ｄメガネ２０は、画像表示装置１０から第２の同期信号を受信した場合には、映像の明るさとクロストークのバランスに関し、標準的なバランスから調整（補正）したバランスの３Ｄ画像をユーザーに提供する。
【００４０】
図２は、本発明の第１の実施形態による調整情報に関する画面例である。リモコン３０は、表示部（非図示）を備え、表示部に調整情報に関する画面を表示する。例えば、リモコン３０は、図２（ａ）の画面を表示する。図２（ａ）の画面は、３つの３Ｄメガネ２０（「３ＤメガネＡ」「３ＤメガネＢ」「３ＤメガネＣ」）の調整情報（設定値）を表している。なお、リモコン３０（調整情報受付部３８０）においてユーザーから入力された調整情報（設定値）は、上述の如く、画像表示装置１０（調整情報記憶部１９０）に保持されるが、図２（ａ）の画面を表示するため、リモコン３０内にも保持しておく。
【００４１】
ユーザーは、図２（ａ）の画面において、調整情報の値（「−５０」〜「＋５０」。初期値「０」）を設定する。例えば、ユーザーは、映像の明るさとクロストークのバランスに関し、映像の明るさを優先させるときはマイナスの値を設定する。また、ユーザーは、映像の明るさとクロストークのバランスに関し、クロストークの削減を優先（以下、「画質の優先」とも称する）させるときはプラスの値を設定する。なお、図２（ａ）の三角は設定値を示している。つまり、３ＤメガネＡは調整無（設定値「０」）に設定され、３ＤメガネＢは明るさ優先（設定値「−３０」）に設定され、３ＤメガネＣは画質優先（設定値「＋２０」）に設定されている。
【００４２】
なお、図２（ａ）の画面を表示する場合、ユーザーは、リモコン３０上のハードボタン（ＰＵＳＨスイッチ、スライドスイッチ等。非図示）を用いて、３Ｄメガネ２０を選択し、選択した３Ｄメガネ２０の設定値を変更（増減）する。３ＤメガネＢの下部の線は、３ＤメガネＢが選択されている旨を表している。
【００４３】
なお、リモコン３０は、図２（ａ）の画面に代えて図２（ｂ）又は図２（ｃ）の画面を表示してもよい。図２（ｂ）の画面を表示する場合、ユーザーは、画面上に設けられた３Ｄメガネ２０毎の増減ボタン（プラスボタン、マイナスボタン）を用いて設定値を変更する。図２（ｃ）の画面を表示する場合、ユーザーは、画面上に設けられたタブから３Ｄメガネ２０を選択し、増減ボタンを用いて設定値を変更する。
【００４４】
図３は、本発明の第１の実施形態による調整情報の記憶例である。画像表示装置１０の調整情報記憶部１９０（リモコン３０も同様）は、図３に示すように、各３Ｄメガネ２０の調整情報を記憶する。図３の場合、調整情報記憶部１９０は、３Ｄメガネ名と、３Ｄメガネ識別情報と、調整情報とを対応付けて記憶している。
【００４５】
図４〜図６は、本発明の第１の実施形態における、調整情報と、生成される同期信号と、３Ｄメガネ２０（シャッター装置）の駆動タイミングとの関係を説明する説明図である。具体的には、図４は、３ＤメガネＡの調整情報（図２、図３参照）と、３ＤメガネＡに送信するために生成された同期信号（第１の同期信号）と、３ＤメガネＡの駆動タイミングとの関係を説明する説明図である。図５は、３ＤメガネＢの調整情報（図２、図３参照）と、３ＤメガネＢに送信するために生成された同期信号（第１、第２の同期信号）と、３ＤメガネＢの駆動タイミングとの関係を説明する説明図である。図６は、３ＤメガネＣの調整情報（図２、図３参照）と、３ＤメガネＣに送信するために生成された同期信号（第１、第２の同期信号）と、３ＤメガネＣの駆動タイミングとの関係を説明する説明図である。
【００４６】
なお、図４〜図６において、映像信号Ｒは右目用画像、映像信号Ｌは左目用画像である。破線は、左目用画像及び右目用画像の透過時間の中心時刻である。「Ｒ＿ｏｐｅｎ」「Ｒ＿ｃｌｏｓｅ」「Ｌ＿ｏｐｅｎ」「Ｌ＿ｃｌｏｓｅ」は同期信号である。具体的には、「Ｒ＿ｏｐｅｎ」は右目シャッター２４０Ｒのオープン（透過開始）信号、「Ｒ＿ｃｌｏｓｅ」は右目シャッター２４０Ｒのクローズ（透過終了）信号、「Ｌ＿ｏｐｅｎ」は左目シャッター２４０Ｌのオープン信号、「Ｌ＿ｃｌｏｓｅ」は左目シャッター２４０Ｌのクローズ信号である。また、図４〜図６において、右目シャッター透過率は右目シャッター２４０Ｒの液晶パネルの透過率、左目シャッター透過率は左目シャッター２４０Ｌの液晶パネルの透過率である。
【００４７】
（３ＤメガネＡの制御）
同期信号生成部１０８は、まず、図４に示すように、表示タイミングに基づいて同期信号（第１の同期信号）を生成する。続いて、同期信号生成部１０８は、調整情報記憶部１９０から３ＤメガネＡの調整情報（設定値「０」）を読み出して、第１の同期信号の調整（補正）を要しないと解釈（判断）する。続いて、同期信号生成部１０８は、同期信号送信部１２２を介して、第１の同期信号を３ＤメガネＡに送信する。
一方、３ＤメガネＡは、自身宛の同期信号（第１の同期信号）を受信し、図４に示すように、シャッター部２４０の駆動タイミングを制御する。
【００４８】
（３ＤメガネＢの制御）
同期信号生成部１０８は、まず、図５に示すように、表示タイミングに基づいて同期信号（第１の同期信号）を生成する。続いて、同期信号生成部１０８は、調整情報記憶部１９０から３ＤメガネＢの調整情報（設定値「−３０」）を読み出して、第１の同期信号に対する明るさ優先の調整（補正）を要すると解釈（判断）し、調整情報（設定値「−３０」）に基づいて第１の同期信号を補正して第２の同期信号を生成する。具体的には、同期信号生成部１０８は、図５に示すように、第１の同期信号による左目用画像及び右目用画像の透過時間（シャッター開口時間）の中心時刻を変化させないように、設定値「−３０」に相当する時間、オープンのタイミングを早くし、クローズのタイミングを遅くする。中心時刻を変化させないのは、なるべく、左目用画像と右目用画像との切り替わり部分（図中の点線内）を見えないようにするためである。続いて、同期信号生成部１０８は、同期信号送信部１２２を介して、第２の同期信号を３ＤメガネＢに送信する。
一方、３ＤメガネＢは、自身宛の同期信号（第２の同期信号）を受信し、図５に示すように、シャッター部２４０の駆動タイミングを制御する。つまり、３ＤメガネＢの場合、３ＤメガネＡに比べ、透過時間が拡大する（画像が明るくなる）。
【００４９】
（３ＤメガネＣの制御）
同期信号生成部１０８は、まず、図６に示すように、表示タイミングに基づいて同期信号（第１の同期信号）を生成する。続いて、同期信号生成部１０８は、調整情報記憶部１９０から３ＤメガネＣの調整情報（設定値「＋２０」）を読み出して、第１の同期信号に対する画質優先の調整（補正）を要すると解釈（判断）し、調整情報（設定値「＋２０」）に基づいて第１の同期信号を補正して第２の同期信号を生成する。具体的には、同期信号生成部１０８は、図６に示すように、第１の同期信号による左目用画像及び右目用画像の透過時間の中心時刻を変化させないように、設定値「＋２０」に相当する時間、オープンのタイミングを遅くし、クローズのタイミングを早くする。続いて、同期信号生成部１０８は、同期信号送信部１２２を介して、第２の同期信号を３ＤメガネＣに送信する。
一方、３ＤメガネＣは、自身宛の同期信号（第２の同期信号）を受信し、図６に示すように、シャッター部２４０の駆動タイミングを制御する。つまり、３ＤメガネＣの場合、３ＤメガネＡに比べ、透過時間が縮小する（クロストークが削減する）。
【００５０】
図７は、本発明の第１の実施形態による光源１１４の制御例である。図７において、同期信号Ａは、３ＤメガネＡに送信する同期信号（第１の同期信号。図４参照）である。同期信号Ｂは、３ＤメガネＢに送信する同期信号（第２の同期信号。図５参照）である。同期信号Ｃは、３ＤメガネＣに送信する同期信号（第２の同期信号。図６参照）である。
【００５１】
光源制御部１０４は、画像制御部１０２から表示タイミングを取得した場合、画像制御部１０２から取得した表示タイミングと、調整情報記憶部１９０に記憶されている夫々の調整情報のうち左目用画像及び右目用画像の透過時間を最大に調整する調整情報とに従って、光源１１４を制御する。
【００５２】
例えば、図３に示すように、３ＤメガネＡの設定値「０」、３ＤメガネＢの設定値「−３０」、及び、３ＤメガネＣの設定値「＋２０」が調整情報記憶部１９０に記憶されている場合、設定値「０」「−３０」「＋２０」のうち、透過時間を最大に調整する設定値は、タイミング設定値「−３０」である（図４〜図６参照）。従って、光源制御部１０４は、画像制御部１０２から取得した表示タイミングと、調整情報記憶部１９０に記憶されている設定値「−３０」とに従って、図７に示すように、光源１１４の発光タイミングを制御する。より詳細には、光源制御部１０４は、図中の一点鎖線にて示したように、少なくとも当該設定値「−３０」による同期信号Ｂによる透過時間において、光源１１４が発光するように、光源１１４の発光タイミングを制御する。つまり、光源制御部１０４は、３ＤメガネＡ、３ＤメガネＢ、３ＤメガネＣのうち、最も明るい画像（透過時間を最大の画像）を表示する３ＤメガネＢに合わせて、光源１１４の発光タイミングを制御する。
【００５３】
以下、図８を参照して、画像表示システム１の動作を説明する。図８は、本発明の第１の実施形態による画像表示装置１０を含む画像表示システム１の動作の一例を示すフローチャートである。図８（ａ）は調整情報の取得に関する動作であって、左側はリモコン３０の動作、右側は画像表示装置１０の動作を表している。図８（ｂ）は調整情報による３Ｄメガネ２０の制御に関する動作であって、左側は画像表示装置１０の動作、右側は３Ｄメガネ２０の動作を表している。図８（ｃ）は図８（ｂ）のステップＳ１００の詳細を表している。
【００５４】
図８（ａ）のフローチャートは、リモコン３０の調整情報受付部３８０が、ユーザーから調整情報（設定値）の入力を受け付けることにより開始する。調整情報受付部３８０は、入力された調整情報を内部に記憶するとともに、調整情報送信部３２４に出力する。調整情報送信部３２４は、調整情報受付部３８０から取得した調整情報を画像表示装置１０に送信する（ステップＳ１０）。画像表示装置１０の調整情報受信部１２４は、リモコン３０から調整情報を受信し（ステップＳ２０）、調整情報記憶部１９０に記憶する（ステップＳ２２）。そして、図８（ａ）のフローチャートは終了する。
【００５５】
図８（ｂ）のフローチャートは、画像表示装置１０の画像制御部１０２が３Ｄ画像を取得することにより開始する。なお、タイミング制御部１０６は、表示タイミング（信号）を外部から取得し、画像制御部１０２及び同期信号生成部１０８に出力するものとする。
【００５６】
画像制御部１０２は、タイミング制御部１０６から取得した表示タイミングを光源制御部１０４に出力するとともに、タイミング制御部１０６から取得した表示タイミングにて、３Ｄ画像を液晶パネル１１２に出力する（ステップＳ３０）。光源制御部１０４は、画像制御部１０２から取得した表示タイミングと、調整情報記憶部１９０に記憶されている調整情報とに従って、光源１１４を制御する（ステップＳ３２）。
【００５７】
同期信号生成部１０８は、タイミング制御部１０６から取得した表示タイミングと、調整情報記憶部１９０に記憶されている調整情報とに従って、同期信号を生成する（ステップＳ１００）。
【００５８】
具体的には、図８（ｃ）に示すように、同期信号生成部１０８は、まず、タイミング制御部１０６から取得した表示タイミングに基づいて第１の同期信号を生成する（ステップＳ１０２）。続いて、同期信号生成部１０８は、調整情報記憶部１９０に記憶されている調整情報の設定値（複数の設定値が記憶されている場合には全ての設定値）がゼロであるか否かを判断する（ステップＳ１０４）。即ち、同期信号生成部１０８は、少なくとも１つの３Ｄメガネ２０に対する第２の同期信号の生成（第１の同期信号の補正）の要否を判断する。
【００５９】
設定値がゼロの場合（ステップＳ１０４：Ｙｅｓ）、即ち、全ての３Ｄメガネ２０に対する第２の同期信号の生成（第１の同期信号の補正）を要しない場合、図８（ｃ）のフローチャートは終了し、図８（ｂ）のフローチャートのステップＳ３４に進む。一方、設定値がゼロ以外の場合（ステップＳ１０４：Ｎｏ）、即ち、少なくとも１つの３Ｄメガネ２０に対する第２の同期信号の生成（第１の同期信号の補正）を要する場合、同期信号生成部１０８は、当該３Ｄメガネ２０に送信する第２の同期信号を生成する（ステップＳ１０６）。具体的には、同期信号生成部１０８は、当該３Ｄメガネ２０の調整情報に基づいて第１の同期信号を補正して当該３Ｄメガネ２０に送信する第２の同期信号を生成する。そして、図８（ｃ）のフローチャートは終了し、図８（ｂ）のフローチャートのステップＳ３４に進む。
【００６０】
同期信号生成部１０８は、ステップＳ１００において生成した同期信号（第１の同期信号又は第２の同期信号）を同期信号送信部１２２に出力し、同期信号送信部１２２は、同期信号生成部１０８によって生成された夫々の３Ｄメガネ２０宛の同期信号（第１の同期信号又は第２の同期信号）を夫々の３Ｄメガネ２０に送信する（ステップＳ３４）。
【００６１】
３Ｄメガネ２０の同期信号受信部２２２は、画像表示装置１０から自身宛の同期信号を受信する（ステップＳ４０）。信号解析部２３２は、同期信号受信部２２２によって受信された同期信号を解析し、解析結果を駆動信号生成部２３４に出力する。駆動信号生成部２３４は、信号解析部２３２が解析した解析結果に基づいてシャッター駆動信号を生成し、シャッター部２４０に出力し、左目シャッター２４０Ｌ、右目シャッター２４０Ｒを駆動させる（ステップＳ４２）。そして、図８（ｂ）のフローチャートは終了する。
【００６２】
（第２の実施形態）
以下、本発明の第２の実施形態について図面を参照して詳細に説明する。図９は、本発明の第２の実施形態による、画像表示装置１０を含む画像表示システム２の機能ブロック図の一例である。
【００６３】
画像表示システム２は、図９に示すように、画像表示装置１０と３Ｄメガネ２１とを備える。なお、図９において１つの３Ｄメガネ２１を示したが、画像表示システム２は複数の３Ｄメガネ２１を備えていてもよい。
【００６４】
（画像表示装置１０）
画像表示システム２の画像表示装置１０の構成は、画像表示システム１の画像表示装置１０と同様である。但し、調整情報受信部１２４は、３Ｄメガネ２０から調整情報を受信する。
【００６５】
（３Ｄメガネ２１）
３Ｄメガネ２１は、通信部２５０、シャッター駆動部２３０、シャッター部２４０、調整情報受付部２８０を備える。通信部２５０は、同期信号受信部２２２及び調整情報送信部２２４を有する。画像表示システム２の３Ｄメガネ２１は、画像表示システム１の３Ｄメガネ２０に、リモコン３０の機能（調整情報受付部３８０、調整情報送信部３２４）に相当する機能（調整情報受付部２８０、調整情報送信部２２４）を付加している。つまり、調整情報受付部２８０は、ユーザーから調整情報の入力（設定）を受け付ける。調整情報送信部２２４は、調整情報受付部２８０によって受け付けられた調整情報を無線通信によって画像表示装置１０に送信する。
【００６６】
図１０は、本発明の第２の実施形態による調整情報に関する画面例である。３Ｄメガネ２１は、表示部（非図示）を備え、表示部に調整情報に関する画面を表示する。例えば、３Ｄメガネ２１は、図１０（ａ）の画面を表示する。図１０（ａ）の画面は、当該３Ｄメガネ２０の調整情報（設定値）を表している。なお、３Ｄメガネ２１（調整情報受付部２８０）においてユーザーから入力された調整情報（設定値）は、画像表示装置１０（調整情報記憶部１９０）に保持されるが、図１０（ａ）の画面を表示するため、３Ｄメガネ２１内にも保持しておく。
【００６７】
なお、３Ｄメガネ２１は、表示スペースの制約がある場合には、図１０（ａ）の画面に代えて、図１０（ｂ）の如く設定値を表示してもよい。なお、図１０（ａ）又は図１０（ｂ）の表示の場合、ユーザーは、３Ｄメガネ２１上のハードボタン（ＰＵＳＨスイッチ、スライドスイッチ等。非図示）を用いて設定値を変更する。また、３Ｄメガネ２１は、図１０（ａ）の画面に代えて、図１０（ｃ）の画面を表示してもよい。図１０（ｃ）の画面を表示する場合、ユーザーは、画面上に設けられた増減ボタンを用いて設定値を変更する。
【００６８】
（第３の実施形態）
以下、本発明の第３の実施形態について図面を参照して詳細に説明する。図１１は、本発明の第３の実施形態による、画像表示装置１１を含む画像表示システム３の機能ブロック図の一例である。
【００６９】
画像表示システム３は、図１１に示すように、画像表示装置１１と３Ｄメガネ２０とを備える。なお、図１１において１つの３Ｄメガネ２０を示したが、画像表示システム３は複数の３Ｄメガネ２０を備えていてもよい。
【００７０】
（画像表示装置１１）
画像表示装置１１は、制御部１００、画像表示部１１０、通信部１３０、調整情報受付部１８０及び調整情報記憶部１９０を備える。制御部１００は、画像制御部１０２、光源制御部１０４、タイミング制御部１０６及び同期信号生成部１０８を有する。画像表示部１１０は、液晶パネル１１２及び光源１１４を有する。通信部１３０は、同期信号送信部１２２を有する。画像表示システム３の画像表示装置１１は、画像表示システム１の画像表示装置１０が備える調整情報受信部１２４に代えて、調整情報受付部１８０を備える。
【００７１】
調整情報受付部１８０は、ユーザーから調整情報の入力（設定）を受け付ける。調整情報受付部１８０は、調整情報を調整情報記憶部１９０に記憶する。なお、画像表示装置１１は、調整情報に関する画面として、図２（ａ）、図２（ｂ）又は図２（ｃ）に示す画面を表示してもよい。
【００７２】
（３Ｄメガネ２０）
画像表示システム３の３Ｄメガネ２０の構成は、画像表示システム１の３Ｄメガネ２０と同様である。
【００７３】
（第４の実施形態）
以下、本発明の第４の実施形態について図面を参照して詳細に説明する。図１２は、本発明の第４の実施形態による、制御装置４０を含む画像表示システム４の機能ブロック図の一例である。
【００７４】
画像表示システム４は、図１２に示すように、画像表示装置１２と制御装置４０と３Ｄメガネ２１とを備える。画像表示システム４は、画像表示装置１０の一部の構成を分離し、制御装置４０としたものである。なお、図１２において１つの３Ｄメガネ２１を示したが、画像表示システム４は複数の３Ｄメガネ２１を備えていてもよい。
【００７５】
（画像表示装置１２）
画像表示装置１２は、制御部１４０、画像表示部１１０、通信部１５０及び調整情報記憶部１９０を備える。制御部１４０は、画像制御部１０２、光源制御部１０４及びタイミング制御部１０６を有する。画像表示部１１０は、液晶パネル１１２及び光源１１４を有する。通信部１５０は、タイミング送信部１５２及び調整情報受信部１５４を有する。
【００７６】
タイミング送信部１５２は、タイミング制御部１０６から表示タイミングを取得する。タイミング送信部１５２は、タイミング制御部１０６から表示タイミングを取得した場合、タイミング制御部１０６から取得した表示タイミングを無線通信によって制御装置４０に送信する。調整情報受信部１５４は、制御装置４０から調整情報を受信する。調整情報受信部１５４は、制御装置４０から調整情報を受信した場合、制御装置４０から取得した調整情報を調整情報記憶部１９０に記憶する。
【００７７】
（制御装置４０）
制御装置４０は、同期信号生成部４０８、通信部４２０及び調整情報記憶部４９０を備える。通信部４２０は、同期信号送信部４２２、調整情報受信部４２４、タイミング受信部４２６及び調整情報送信部４２８を有する。
【００７８】
タイミング受信部４２６は、画像表示装置１２から表示タイミングを受信する。タイミング受信部４２６は、画像表示装置１２から表示タイミングを取得した場合、画像表示装置１２から取得した表示タイミングを同期信号生成部４０８に出力する。
【００７９】
同期信号生成部４０８は、タイミング受信部４２６から表示タイミングを取得する。同期信号生成部４０８は、タイミング受信部４２６から表示タイミングを取得した場合、タイミング受信部４２６から取得した表示タイミングと、調整情報記憶部４９０に記憶されている調整情報とに従って、３Ｄメガネ２１に送信する同期信号（第１の同期信号又は第２の同期信号）を生成する。なお、同期信号生成部４０８による同期信号の生成方法は、画像表示システム１の画像表示装置１０の同期信号生成部１０８による同期信号の生成方法と同様である。
【００８０】
同期信号送信部４２２は、同期信号生成部４０８から同期信号を取得する。同期信号送信部４２２は、同期信号生成部４０８から同期信号を取得した場合、同期信号生成部４０８から取得した同期信号を無線通信によって３Ｄメガネ２１に送信する。調整情報受信部４２４は、３Ｄメガネ２１から調整情報を受信する。調整情報受信部４２４は、３Ｄメガネ２１から調整情報を受信した場合、３Ｄメガネ２１から受信した調整情報を調整情報記憶部４９０に記憶する。調整情報記憶部４９０は、調整情報受信部４２４によって受信された調整情報を記憶する。
【００８１】
調整情報送信部４２８は、調整情報記憶部４９０に記憶されている調整情報を読み出して、無線通信によって画像表示装置１２に送信する。なお、画像表示装置１２に送信された調整情報は、画像表示装置１２の光源制御部１０４によって光源１１４の制御に用いられる。つまり、調整情報送信部４２８は、調整情報を送信することによって、画像表示装置１２の光源１１４を制御する。
【００８２】
（３Ｄメガネ２１）
画像表示システム４の３Ｄメガネ２１の構成は、画像表示システム２の３Ｄメガネ２１と同様である。
【００８３】
以上、第１〜第４の実施形態を説明したが、第１〜第４の実施形態に記載の画像表示装置１０（１１）、制御装置４０は、調整情報に応じた同期信号を生成し、３Ｄメガネ２０（２１）に送信するため、画像表示装置１０（１１）、制御装置４０によれば、ユーザーは、適宜、調整情報を入力し、３Ｄメガネ２０（２１）の駆動タイミング（透過時間）を調整し、自身の感覚にあった明るさとクロストークのバランスにおいて３Ｄ画像を視聴することができるようになる。
【００８４】
例えば、クロストークが強くなるが明るさをあげたい場合は、オープン信号を出力してからクローズ信号を出力するまでの透過時間を長くすればよい。つまり、図５に示すように、調整情報の設定値をマイナスの値にすればよい。逆に、明るさを犠牲にしてクロストークを弱くしたい場合は、オープン信号を出力してからクローズ信号を出力するまでの透過時間を短くすればよい。つまり、図６に示すように、調整情報の設定値をプラスの値にすればよい。
【００８５】
また、画像表示装置１０（１１）、制御装置４０は、調整情報に応じて光源１１４を制御するため、ユーザーは、駆動タイミング（透過時間）の調整後においても、最適な光源発光期間による３Ｄ画像を視聴することができる。例えば、透過時間を長くした場合、光源制御によってランプ発光時間は、必要に応じて長くなる。一方、透過時間を短くした場合、光源制御によってランプ発光期間も必要に応じて短くなる。具体的には、図７に示すように、透過時間が最も長い３Ｄメガネに合わせて、発光時間の長さを調整している。従って、必要な光を確保しつつ、節電することができる。
【００８６】
なお、上記実施形態では、同期信号として「Ｒ＿ｏｐｅｎ」「Ｒ＿ｃｌｏｓｅ」「Ｌ＿ｏｐｅｎ」「Ｌ＿ｃｌｏｓｅ」を使用したが、使用する同期信号はこれに限定されない。例えば、上記に加えて更に、右目シャッター２４０Ｒのオープンと左目シャッター２４０Ｌのクローズとを同時に制御する「Ｒ＿ｏｐｅｎ＆Ｌ＿ｃｌｏｓｅ」、左目シャッター２４０Ｌのオープンと右目シャッター２４０Ｒのクローズとを同時に制御する「Ｌ＿ｏｐｅｎ＆Ｒ＿ｃｌｏｓｅ」を使用してもよい。
【００８７】
また、上記実施形態では、調整情報の設定方法として、−５０（最小値）〜＋５０（最大値）の範囲を細かなステップ（例えば、ピッチ１）にて設定する方法を示したが、調整情報の設定方法はこれに限定されない。例えば、「明るさ優先モード」「標準モード」「画質優先モード」の３段階のモードを設けるようにしてもよい。  
【００８８】
また、上記実施形態では、制御装置４０は調整情報受信部４２４を備えるが、調整情報受信部４２４に代えて又は加えて調整情報受付部（非図示）を備えるようにしてもよい。画像表示装置１０についても同様である。
【００８９】
また、上記実施形態では、光変調装置として透過型の液晶パネルを用いた例を説明したが、光変調装置は透過型の液晶パネルに限定されない。例えば、光変調装置としてデジタル・マイクロミラー・デバイス（ＤＭＤ：Ｄｉｇｉｔａｌ  Ｍｉｃｒｏ−Ｍｉｒｒｏｒ  Ｄｅｖｉｃｅ）や、反射型の液晶パネル等を用いて、光源からの光を変調する構成にしてもよい。また、小型ＣＲＴ（陰極線管）上の映像を被投写面に投写するＣＲＴプロジェクターでもよい。
【００９０】
また、上記実施形態では、画像表示装置１０、１１、１２は透過型の表示デバイス（液晶パネル）を備えたが、自発光型の表示デバイス（プラズマディスプレイパネル、有機ＥＬパネル）を備えてもよい。
【００９１】
なお、本発明の各実施形態による画像表示装置１０（１１）又は制御装置４０の処理を実行するためのプログラムをコンピューター読み取り可能な記録媒体に記録して、当該記録媒体に記録されたプログラムをコンピューターシステムに読み込ませ、実行することにより、画像表示装置１０（１１）又は制御装置４０の処理を実現させてもよい。なお、ここでいう「コンピューターシステム」とは、ＯＳや周辺機器等のハードウェアを含むものであってもよい。また、「コンピューターシステム」は、ＷＷＷシステムを利用している場合であれば、ホームページ提供環境（あるいは表示環境）も含むものとする。また、「コンピューター読み取り可能な記録媒体」とは、フレキシブルディスク、光磁気ディスク、ＲＯＭ、フラッシュメモリー等の書き込み可能な不揮発性メモリー、ＣＤ−ＲＯＭ等の可搬媒体、コンピューターシステムに内蔵されるハードディスク等の記憶装置のことをいう。
【００９２】
さらに「コンピューター読み取り可能な記録媒体」とは、インターネット等のネットワークや電話回線等の通信回線を介してプログラムが送信された場合のサーバーやクライアントとなるコンピューターシステム内部の揮発性メモリー（例えばＤＲＡＭ（Dynamic Random Access Memory））のように、一定時間プログラムを保持しているものも含むものとする。また、上記プログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピューターシステムにすでに記録されているプログラムとの組み合わせで実現できるもの、いわゆる差分ファイル（差分プログラム）であっても良い。
【００９３】
以上、この発明の実施形態について詳述してきたが、具体的な構成はこの実施形態に限られるものではなく、この発明の要旨を逸脱しない範囲の設計等も含まれる。
【符号の説明】
【００９４】
１、２、３、４…画像表示システム  １０、１１、１２…画像表示装置  ２０、２１…３Ｄメガネ  ３０…リモコン  ４０…制御装置  １００、１４０…制御部  １０２…画像制御部  １０４…光源制御部  １０６…タイミング制御部  １０８…同期信号生成部  １１０…画像表示部  １１２…液晶パネル  １１４…光源  １２０、１３０、１５０…通信部  １２２…同期信号送信部  １２４…調整情報受信部  １５２…タイミング送信部  １５４…調整情報受信部  １８０…調整情報受付部  １９０…調整情報記憶部  ２２０、２５０…通信部  ２２２…同期信号受信部  ２２４…調整情報送信部  ２３０…シャッター駆動部  ２３２…信号解析部  ２３４…駆動信号生成部  ２４０…シャッター部  ２４０Ｌ…左目シャッター  ２４０Ｒ…右目シャッター  ２８０…調整情報受付部  ３２４…調整情報送信部  ３８０…調整情報受付部  ４０８…同期信号生成部  ４２０…通信部  ４２２…同期信号送信部  ４２４…調整情報受信部  ４２６…タイミング受信部  ４２８…調整情報送信部  ４９０…調整情報記憶部
【図１】
0006035823.tif 000002
【図２】
0006035823.tif 000003
【図３】
0006035823.tif 000004
【図４】
0006035823.tif 000005
【図５】
0006035823.tif 000006
【図６】
0006035823.tif 000007
【図７】
0006035823.tif 000008
【図８】
0006035823.tif 000009
【図９】
0006035823.tif 000010
【図１０】
0006035823.tif 000011
【図１１】
0006035823.tif 000012
【図１２】
0006035823.tif 000013